(57)【要約】【目的】本発明は、採点システム、採点本部システムおよび採点本部方法に関し、ＷＷＷサーバと接続されたブラウザ上で自動的に採点プログラムをダウンロードし、常に統一したバージョンの採点プログラムのもとで採点ペンを使って自動的に採点結果を入力し、従来のＬＡＮ接続なしに簡易、迅速かつ統一した採点を実現することを目的とする。【構成】  回答した回答用紙上のペンの採点結果の入力を検出する手段と、検出された結果を回答用紙に対応づけた採点エントリ画面上の採点結果欄に入力する手段と、採点結果欄に入力された採点結果を採点本部システムに送信する手段とを実行する採点プログラムについて、ブラウザからネットワークを介した接続時にダウンロードして採点プログラムのバージョンを常に統一する手段と、採点結果を受信する手段と、集計する手段と、集計結果を送信する手段とを有する。【選択図】        図１
2005025783.tif 000002
【特許請求の範囲】
【請求項１】
回答用紙の採点結果を入力させてその採点結果をネットワークを介して収集し集計する採点システムにおいて、
回答した回答用紙上のペンの採点結果の入力を検出する手段と、上記検出された結果を上記回答用紙に対応づけた採点エントリ画面上の該当採点結果欄に入力する手段と、上記採点結果欄に入力された採点結果を上記本部システムに送信する手段とを実行する採点プログラムを保持し、採点端末からネットワークを介した利用要求に応じて、上記保持している採点プログラムを必要に応じて採点端末にダウンロードする手段と、
採点端末から送信された採点結果を受信する手段と、
上記受信した採点結果を集計する手段と、
上記集計した集計結果を採点端末に送信する手段と
を設けた採点本部システム、および
採点本部システムに接続してプログラムをダウンロードするブラウザと、
回答した回答用紙上のペンの採点結果の入力を検出する手段と、上記検出された結果を上記回答用紙に対応づけた採点エントリ画面上の該当採点結果欄に入力する手段と、上記採点結果欄に入力された採点結果を上記本部システムに送信する手段とを実行する採点プログラムについて、上記ブラウザを採点本部システムに接続して当該採点本部システムから利用時に必要に応じてダウンロードする手段と
を設けた採点端末システム
を備えたことを特徴とする採点システム。
【請求項２】
回答用紙の採点結果を入力させてその採点結果をネットワークを介して収集し集計する採点本部システムにおいて、
回答した回答用紙上のペンの採点結果の入力を検出する手段と、上記検出された結果を上記回答用紙に対応づけた採点エントリ画面上の該当採点結果欄に入力する手段と、上記採点結果欄に入力された採点結果を上記本部システムに送信する手段とを実行する採点プログラムを保持し、採点端末からネットワークを介した利用要求に応じて、上記保持している採点プログラムを必要に応じて採点端末にダウンロードする手段と、
採点端末から送信された採点結果を受信する手段と、
上記受信した採点結果を集計する手段と
を備えたことを特徴とする採点本部システム。
【請求項３】
請求項２において、更に、上記集計した集計結果を採点端末に送信する手段を備えたことを特徴とする採点本部システム。
【請求項４】
上記採点本部システムは、採点・集計用情報を採点端末用のプログラムから受信して認証・登録する手段を備えたことを特徴とする請求項２あるいは請求項３記載の採点本部システム。
【請求項５】
上記採点本部システムにおいて、保持している採点プログラムを採点端末にダウンロードする手段は、上記登録された採点・集計用情報を反映した採点端末用のプログラム、あるいはデータを設定することを特徴とする請求項２から請求項４のいずれかに記載の採点本部システム。
【請求項６】
上記採点本部システムは、上記採点端末に、未採点、あるいは採点中の端末があるか自動判定し、催促手段を備えたことを特徴とする請求項２から請求項５のいずれかに記載の採点本部システム。
【請求項７】
上記採点本部システムにおいて、保持している採点プログラムを採点端末にダウンロードする手段は、上記登録された採点・集計用情報の少なくともチェック方式、採点順番、科目順番のいずれかを反映した採点端末用のプログラム、あるいはデータを設定することを特徴とする請求項２から請求項４のいずれかに記載の採点本部システム。
【請求項８】
回答用紙の採点結果を入力させてその採点結果をネットワークを介して収集し集計する採点本部方法において、
回答した回答用紙上のペンの採点結果の入力を検出するステップと、上記検出された結果を上記回答用紙に対応づけた採点エントリ画面上の該当採点結果欄に入力するステップと、上記採点結果欄に入力された採点結果を上記本部システムに送信するステップとを実行する採点プログラムを保持し、採点端末からネットワークを介した利用要求に応じて、上記保持している採点プログラムを必要に応じて採点端末にダウンロードするステップと、
採点端末から送信された採点結果を受信するステップと、
上記受信した採点結果を集計するステップと
を有する採点本部方法。
【発明の詳細な説明】
【技術分野】
【０００１】
本発明は、回答用紙の採点結果を入力させてその採点結果をネットワークを介して収集し集計する採点システム、採点本部システム、および採点本部方法に関するものである。
【背景技術】
【０００２】
従来、試験を突破するために各種受験を目的とした教室が設けられ、全国的規模でこれら教室の会員の模擬試験を行って採点して集計を行い、各会員の現在の学力程度を配布することが行われている。
【０００３】
この際、各教室の会員の模擬試験を行い、回答用紙を回収し、採点サーバとＬＡＮに接続したクライアントに採点ペンを付け、回収した回答用紙の採点を行っていた。
【発明の開示】
【発明が解決しようとする課題】
【０００４】
このため、採点サーバの接続されたＬＡＮに接続したクライアントから採点ペンを用いた採点を行うことができず、例えばフランチャイズ（提携）した塾などのように各地に散在した塾の採点を行えないという問題が発生した。
【０００５】
また、従来のＬＡＮ接続型のクライアントでは、専用のハードウェアやソフトウェアが各クライアント毎に必要となり、しかも、専用のハードウェア／ソフトウェアであるために採点者を直接に教育したり、操作マニュアルなどで採点方法の教育が必要となってしまい、簡単かつ正確に採点を行い難いという問題もあった。
【０００６】
本発明は、これらの問題を解決するため、ＷＷＷサーバと接続されたブラウザ上で自動的に採点プログラムをダウンロードし、常に統一したバージョンの採点プログラムのもとで採点ペンを使って自動的に採点結果を入力し、ＬＡＮ接続なしに簡易、迅速かつ統一した採点を実現することを目的としている。
【課題を解決するための手段】
【０００７】
図１を参照して課題を解決するための手段を説明する。
図１において、教室端末（ブラウザ）１は、答案用紙（回答用紙）の採点結果を自動入力したりなどするものであって、ここでは、登録手段２および採点手段３などから構成されるものである。
【０００８】
登録手段２は、各種登録を行うものであって、ここでは、受験する会員に関する情報などを登録するものである。
【０００９】
採点手段３は、試験して回収した答案用紙を採点して自動的に採点結果を取り込んだり、正解の配点を合計したりなどするものである。
【００１０】
網４は、複数の教室端末１と本部システム５とを接続するものであって、例えばインターネット網である。
【００１１】
本部システム（ＷＷＷサーバ）５は、複数の教室端末１と接続して答案用紙の採点結果を取り込んで集計してその結果を配布したりなどするものであって、ここでは、登録更新手段６、サービス提供手段７、および確認手段８などから構成されるものである。
【００１２】
登録更新手段６は、教室端末１から通知された会員に関する情報（新規の会員の情報、会員の更新情報）をマスタ１１に登録したり、更新したりなどするものである。
【００１３】
サービス提供手段７は、各種サービスを教室端末１や会員に提供するものであって、ここでは、採点エントリ入出力プログラム８および採点ペン検出プログラム９などを提供するものである。
【００１４】
採点エントリ入出力プログラム８は、紙の答案用紙を採点者がボールペンで採点したときの動きを検出し、採点エントリ画面上の該当する欄に採点結果を自動入力したりなどするものであって、必要に応じて教室端末１にダウンロードするものである。
【００１５】
採点ペン検出プログラム９は、ボールペンなどで紙の答案用紙に採点者が採点したときの当該ボールペンの動きを検出（例えば図１３を用いて後述する動いたときの音を採取して○あるいはｖを検出）するものであって、必要に応じて教室端末１にダウンロードするものである。
【００１６】
確認手段１０は、採点結果が全て登録されたかなどを確認するものである。
マスタ１１は、各種情報を登録して保存するマスタであって、ここでは、教室の会員マスタ、会員の成績を登録した成績マスタ、各種テスト情報を管理するテスト管理マスタなどである。
【００１７】
次に、動作を説明する。
採点手段３が回答した回答用紙上のペンの採点結果の人力を検出し、検出された結果を回答用紙に対応づけた採点エントリ画面上の採点結果欄に人力するようにしている。この際、これらを実行する採点プログラムを本部システム６から利用時にダウンロードしてバージョンを常に統一するようにしている。
【００１８】
この際、採点手段３が採点結果の入力終了後に採点結果総数あるいは採点正解総数あるいは誤回答総数の入力に対応して上記採点エントリ画面上に入力された該当数と照合して一致したときにＯＫ、不一致のときにＮＧとするようにしている。
【００１９】
また、回答用紙上のペンの採点結果の入力順を予め登録し、採点エントリ画面上で当該登録した順に採点結果を人力するようにしている。
【００２０】
また、採点結果の入力順として、科目の順番と各科目内の順番とするようにしている。
従って、ＷＷＷサーバ５と接続されたブラウザ１上で自動的に採点プログラムをダウンロードし、常に統一したバージョンの採点プログラムのもとで採点ペンを使って自動的に採点結果を入力し、従来のＬＡＮ接続なしに簡易、迅速かつ統一した採点を実現することが可能となる。
【発明の効果】
【００２１】
本願発明は、ＷＷＷサーバ５と接続されたブラウザ１上で自動的に採点プログラムをダウンロードし、常に統一したバージョンの採点プログラムのもとで採点ペンを使って自動的に採点結果を入力し、従来のＬＡＮ接続なしに簡易、迅速かつ統一した採点を実現できる。
【発明を実施するための最良の形態】
【００２２】
本発明は、ＷＷＷサーバと接続されたブラウザ上で自動的に採点プログラムをダウンロードし、常に統一したバージョンの採点プログラムのもとで採点ペンを使って自動的に採点結果を入力し、ＬＡＮ接続なしに簡易、迅速かつ統一した採点を実現した。
【実施例１】
【００２３】
次に、図２から図１６を用いて本発明の実施の形態および動作を順次詳細に説明する。
図２は、本発明の動作説明フローチャート（全体）を示す。
【００２４】
図２において、事前登録を行う。これは、教室、会員などを事前に本部システム５のマスタ１１に登録する。
【００２５】
Ｓ２は、教室が問題、回答、答案用紙を受け取る。これは、回線を介して問題、回答、答案用紙をダウロードしたり、郵便で受け取ったりする。
【００２６】
Ｓ３は、試験を行う。これは、Ｓ２で受け取った問題を教室の会員に配布して所定時間の試験を行う。
【００２７】
Ｓ４は、回答用紙を回収する。
Ｓ４’は、採点プログラムを受信する。これは、後述する図１６で説明するように、本部システム５から最新のバージョンの採点プログラム（採点エントリ入出力プログラム８および採点ペン検出プログラム９）のダウンロードを受けて受信し、キャッシュメモリ（作業域）に格納する。
【００２８】
Ｓ５は、採点順番の登録を行う。これは、後述する図４のフローチャートに従い、本部システム５に回答用紙の採点に関して、チェック方式、採点順番、科目順番を登録する。
【００２９】
Ｓ６は、採点エントリ画面の表示を行う。これは、図１の教室端末１から採点を行う試験Ｎｏ、科目を本部システム５に通知してこれに対応する採点エントリ画面をダウンロードして画面上に表示、例えば図１１に示すように採点エントリ画面を表示する。
【００３０】
Ｓ７は、採点する。これは、後述する図１０のフローチャートに従い、紙の回答用紙にボールペンで採点者が記入して採点を行い、このときのボールペンの動きを検出（実際は音を検出してボールペンの動きを検出）して採点エントリ画面の該当欄に自動入力する。
【００３１】
Ｓ８は、登録する。これは、Ｓ７で採点した会員の採点結果を本部システム５の成績マスタに登録する。
【００３２】
Ｓ９は、本部で採点状況の確認を行う。
Ｓ１０は、全教室採点登録済か判別する。ＹＥＳの場合には、Ｓｌｌに進む。ＮＯの場合には、Ｓ９に戻り繰り返す。
【００３３】
Ｓｌｌは、Ｓ１０のＹＥＳで全教室の採点が完了してその採点結果が登録されたと判明したので、集計を行う。
【００３４】
Ｓ１２は、各会員の成績表を作成する。
Ｓ１３は、送付する。これは、本部システム５から各教室に郵送あるいは各教室端末１にファイルとして送付する。
【００３５】
Ｓ１４は、会員に成績表を渡す。これは、各教室が郵送された成績表あるいは送付されたファイルをもとに印刷した会員の成績表を各会員に渡す。
【００３６】
以上によって、各教室では問題を配布して会員の試験を行い、回収した回答用紙をボールペンで採点者が採点すると同時にボールペンの動きを検出して教室端末１上の採点エントリ画面の該当個所に採点結果を自動入力し、自動人力した後に総入力数あるいは○（あるいはｖ）の総数を人力させて自動入力済の数と一致するか確認した後、本部システム５に登録する。本部システム５は、全教室からの採点結果が登録されたのを確認した後、集計を行い、各会員の成績表（全体、科目毎の順番、採点などを印刷した成績表）を作成して配布する。これらにより、教室では、ボールペンなどで紙の回答用紙の採点を行うのみで、採点エントリ画面上に採点結果が自動入力されて本部システム５に登録され、その集計結果が各教室に自動的に送付されることとなり、各教室の採点作業が簡単かつ採点結果の手入力が不要となり、しかも採点エントリ画面に自動人力した総数などを自動確認した後に本部システム５に登録し、従来の手入力による入力ミスの発生を無くすことが可能となる。
【００３７】
図３は、本発明の動作説明フローチャート（メニュー画面）を示す。
図３において、Ｓ２１は、本部のＷＷＷサーバ（本部システム５）にインターネット経由で接続する。
【００３８】
Ｓ２２は、確認画面を表示する。
Ｓ２３は、塾コードとパスワードを入力する。
【００３９】
Ｓ２４は、本部でチェックする。ＯＫの場合には、Ｓ２５に進む。ＮＧの場合には、Ｓ２３に戻り繰り返す。
【００４０】
Ｓ２５は、メニュー画面を表示する。ここでは、メニュー画面上で選択して後述する図４（登録）、図７（採点エントリの登録）、図１０（採点）、図１４（終了確認）のいずれかの処理に個別的に進む。
【００４１】
図４は、本発明の動作説明フローチャート（登録）を示す。
図４において、Ｓ３１は、メニュー画面から事前登録を選択する。
【００４２】
Ｓ３２は、答案氏名事前登録画面を本部のＷＷＷサーバからダウンロードして表示する。
【００４３】
Ｓ３３は、教室コードと会員コードの入力を行う。
Ｓ３４は、本部に問い合わせチェックする。ＯＫの場合には、Ｓ３５に進む。ＮＯの場合にはＳ３３に戻り繰り返し、所定回数繰り返してもＮＧの場合には、終了する。
【００４４】
Ｓ３５は、チェック方式、採点順番、科目順番の入力を行う。これは、教室端末１上に採点エントリ画面を表示し、紙の回答用紙上でボールペンを使って採点者が採点するときの採点順番、採点する科目の順番を入力すると共に、採点結果をチェックするための○あるいはｖの総数を入力して採点エントリ画面上に自動認識入力された数と一致するか比較するときの当該○あるいはｖのいずれの総数のチェックを行うかの区別を入力する。
【００４５】
Ｓ３６は、登録する。これは、Ｓ３５で教室端末１上の画面上で入力した情報を、ＷＷＷサーバ（本部システム５）にアップロードして登録する。
【００４６】
以上によって、各教室端末１からＷＷＷサーバ（本部システム５）か所定画面をダウンロードして表示し、この画面上でチェック方式、採点順番、科目順番などの採点に必要な情報を入力してＷＷＷサーバに登録することが可能となる。
【００４７】
図５は、本発明の画面例（事前登録）を示す。これは、既述した図４のＳ３３で教室端末１がＷＷＷサーバ（本部システム５、）からダウンロードして表示し、下記の項目を入力したり、更にＷＷＷサーバに登録したりするための画面である。
【００４８】
・教室コード：
・会員コード（会員番号）：
図６は、本発明の会員マスタ例を示す。これは、○○塾について、図示の下記の項目を登録した本部の会員マスタとして保存したものである。
【００４９】
・教室：
・会員コード（会員番号）：
・氏名：
・教科：算数、国語、社会
・順位：算数、国語、社会
・偏差値：算数、国語、社会
・その他：
図７は、本発明の動作説明フローチャート（採点エントリの登録）を示す。
【００５０】
図７において、Ｓ４１は、パラメータ入力する。これは、採点エントリ画面として登録する、パラメータとして、後述する図８の採点セットアップ画面上で
・教科：
・テスト回：
・縦／横のフォーマット選択：
・その他：
を入力する。ここで、「教科」は採点エントリ画面で採点を行う教科（例えば算数、国語、社会などの科目）であり、「テスト回」は何回目のテスト回であり、「縦／横のフォーマット選択」は後述する図１２の横の採点エントリ画面あるいは図１３の縦の採点エントリ画面のいずれのフォーマットを選択するかである。
【００５１】
Ｓ４２は、選択されたフォーマットを表示する。
Ｓ４３は、設問と小問と配点を入力する。これは、後述する図１１の横の採点エントリ画面に示すように、設問、小問、配点を図示のように入力する。
【００５２】
Ｓ４４は、登録する。これは、教室端末１からＷＷＷサーバ（本部システム５）にアップロードして登録する。
【００５３】
以上によって、採点エントリ画面として、後述する図１１の横の採点エントリ画面あるいは図１２の縦の採点エントリ画面が本部システム５に登録されたこととなる。
【００５４】
図８は、本発明の説明図（採点セットアップ）を示す。これは、既述した図７のＳ４３で設問、小問、配点などを入力するための採点セットアップ画面であって、図示の下記の項目を入力するものである。
【００５５】
・教室コード：
・○ｖチェック方式：○チェック、ｖチェック、チェックなし
・採点方式：教科単位、生徒単位
・採点順序：算数、国語、社会、理科などの順番
・その他：
以上のように画面上で入力することにより、採点エントリ画面上の入力順序やチェック方式が本部システム５に登録されたこととなる。
【００５６】
図９は、本発明の説明図（答案用紙）を示す。
図９の（ａ）は、算−５回（横）を示す。これは、算数の５回目の横の答案用紙の横フォーマットの例を示す。ここでは、図示の矢印で示したように、
・設問１に小問１（配点５）、２（配点２）、３（配点３）
・設問２に小問１（配点８）、２（配点７）
を割り当てた答案用紙である（正解値は別に正解用紙に記載されて用意されている）。
【００５７】
図９の（ｂ）は、国−６回（縦）を示す。これは、国語の６回目の縦の答案用紙の縦フォーマットの例を示す。ここでは、図示の矢印で示したように、
・設問１に小問１（配点２０）、２（配点３０）
・設問２に小問１（配点１０）、２（配点２０）、３（配点２０）
を割り当てた答案用紙である。
【００５８】
以上の構／縦の答案用紙フォーマットに設問、小問、配点を付与して答案用紙を作成できたこととなる。これにより、既述した図１１の採点エントリ画面と、図９の答案用紙とは１対１に対応しており、次に説明する図１０のフローチャートに従い、図９の答案用紙上の回答欄（設問あるいは小問の回答欄）に○あるいはｖを採点者が正解用紙を見ながらボールペンで記入するのみで、後述する図１３のシステムでボールペンの動きを検出して○あるいはｖを自動検出し採点フォーマット画面上の該当欄（設問あるいは小問憫）に自動入力することが可能となる。
【００５９】
図１０は、本発明の動作説明フローチャート（採点）を示す。
図１０において、Ｓ５１は、メニュー画面から採点エントリを選択する。
【００６０】
Ｓ５１’は、採点プログラムを受信する。これは、後述する図１６で説明するように、本部システム５から最新のバージョシの採点プログラム（採点エントリ入出力プログラム８および採点ペン検出プログラム９）のダウンロードを受けて受信し、キャッシュメモリ（作業域）に格納する。
【００６１】
Ｓ５２は、採点エントリ画面を表示する。これは、例えばＳ５１で選択した後述する図１１の横の採点エントリ画面を表示する。
【００６２】
Ｓ５３は、採点ペン停止中に○ｖ入力可へ変更する。
Ｓ５４は、答案用紙の先頭から順に採点ペンで○、ｖを書く。
【００６３】
Ｓ５５は、採点ペンの○、ｖを検出および音声出力する。これは、Ｓ５４で採点者が回収した答案用紙を見て、先頭から順に採点ペンで正解のときにその設問あるいは小問に○あるいはｖを書いたことに対応して、後述する図１３のシステムが○あるいはｖを検出して音声で「まる」あるいは「ばつ（かける）」を発声する。
【００６４】
Ｓ５６は、検出された○あるいはｖを採点エントリ画面の該当グリッド（ます）に表示して次のセルに移る。
【００６５】
Ｓ５７は、採点確定ボタンが押下か判別する。ＹＥＳの場合には、Ｓ５８に進む。ＮＯの場合には、Ｓ５４に戻り繰り返す。
【００６６】
Ｓ５８は、入力した○、ｖをマスクして、設問○数、ｖ数のチェック画面を表示する。
Ｓ５９は、Ｓ５８で表示されたチェック画面に、採点者が設問毎の総○数あるいは総ｖ数を入力する。
【００６７】
Ｓ６０は、一致しているか判別する。これは、Ｓ５８で自動計数した採点エントリ画面上の総○数あるいは総ｖ数と、Ｓ５９で採点者が入力した総○数あるいは総ｖ数と一致し、自動検出して採点エントリ画面上に人力した採点結果が正しいか判別する。ＯＫの場合には、Ｓ６１に進む。ＮＯの場合には、Ｓ６３で再チェック要とし、Ｓ５９に戻る。
【００６８】
Ｓ６１は、全設問終わりか判別する。ＹＥＳの場合には、Ｓ６２に進む。ＮＯの場合には、Ｓ５９に戻り繰り返す。
【００６９】
Ｓ６２は、全会員終わりか判別する。ＹＥＳの場合には、終了する。ＮＯの場合には、Ｓ５４に戻り次の会員について繰り返す。
【００７０】
以上によって、図１１のような採点エントリ画面を教室端末１上に表示し、採点者が回収した回答用紙上の設問あるいは小問の回答が正しいときに○、誤のときにｖを採点ペン（後述する図１３のボールペン）で順に書き、このときの採点ペンの動きを音で検出して○あるいはｖを自動検出して採点エントリ画面上の該当する設問、小問の位置に○あるいはｖを自動入力した後、総○数あるいは総ｖ数を採点者に入力されて一致して採点エントリ画面上に自動入力された採点結果が正しいと判明したときに採点を終了し、次の会員について繰り返すことにより、採点者は紙の回答用紙上で設問／小問の回答が正しいときに採点ペンで○、誤のときにｖを書くのみで自動的に採点結果が採点エントリ画面上に入力されて集計することが可能となる。
【００７１】
図１１は、本発明の説明図（採点エントリ、横）を示す。これは、図９の（ａ）の構の答案用紙に対応した採点エントリ画面の例であって、図中に示すように、設問、小問、更に配点を図示のように人力してフォーマット化したものである。
【００７２】
図１２は、本発明の説明図（採点エントリ、縦）を示す。これは、図９の（ｂ）の縦の答案用紙に対応した採点エントリ画面の例であって、図中に示すように、設問、小問、更に配点を図示のように入力してフォーマット化したものである。
【００７３】
図１３は、本発明の説明図（採点検出）を示す。
図１３の（ａ）は、採点ペンの模式的な斜視図を示す。
【００７４】
図１３の（ａ）において、採点ペン２１は、図示のように、ホルダ２２の穴にボールペン２４を止め具２３で固定し、当該ボールペン２４の書くときの音を検出するマイク２５を取り付けたものである。
【００７５】
ホルダ２２は、穴を貫通させて当該穴の内部に通常のボールペン２４を入れて止め具２３で固定するものである。
【００７６】
止め具２３は、ボールペン２４をホルダ２２に固定するネジである。
マイク２４は、ボールペン２４で○およびｖを書いたときの音を検出するものである。ボールペン２４で採点者が紙の答案用紙の設問／小問の回答が正解のときに○、誤のときにｖを書いたときの音を検出して電気信号に変換するものである。
【００７７】
図１３の（ｂ）は、ボールペンで書いたときの○およびｖの音をマイク２４で検出する様子を示す。
【００７８】
図１３の（ｂ−１）は、ボールペンで○を書くときの音をマイク２５で検出して電気信号に変換する様子を示す。
【００７９】
図１３の（ｂ−２）は、ボールペンでｖを書くときの音をマイク２５で検出して電気信号に変換する様子を示す。
【００８０】
図１３の（ｃ）は、図１３の（ｂ−１）の○をボールペンで書いたときの音をマイク２５で検出して変換した電気信号の振幅のエンベロープを描いた様子を示す。縦軸は電気信号の感度（音の振幅、強さに相当）であり、横軸は時間ｔである。このときの最大感度（最大振幅）をＡｌ、最小点（例えば最大の１０％の時間の点）から最大の点までの時間Ｔ２、最小点から最大点にいってから再び最小点に小さくなるまでの時間Ｔｌを図示のようにそれぞれ計測する。
【００８１】
図１３の（ｄ）は、図１３の（ｂ−２）のｖをボールペンで書いたときの音をマイク２５で検出して変換した電気信号の振幅のエンベロープを描いた様子を示す。縦軸は電気信号の感度（音の振幅、強さに相当）であり、横軸は時間ｔである。このときの最大感度（最大振幅）をＡｌ、最小点（例えば最大の１０％の時間の点）から最大の点までの時間Ｔ２、最小点から最大点にいってから再び最小点に小さくなるまでの時間Ｔｌを図示のようにそれぞれ計測する。
【００８２】
図１３（ｅ）は、識別テーブル例を示す。これは、図１３の（ｄ）、（ｅ）で求めたＡｌ、Ｔｌ、Ｔ２の値によって○あるいはｖと検出する識別テーブル１３であって、図示の下記のようになる。
【００８３】
ＡＩ  ＴＩ  Ｔ２
○  大    大    大
ｖ  小    小    小
即ち、ボールペンで採点者が○を紙の回答用紙に書いたときは、Ａｌ、Ｔｌ、Ｔ２が共に大きな値となる。一方、ボールペンで採点者がｖを紙の回答用紙に書いたときは、Ａｌ、Ｔｌ、Ｔ２が共に小さな値となる。これら「大きな値」、「小さな値」は、実際には実験によって求めて設定、例えば実際に複数回、○を書き、次に、複数回、ｖを書き、これらを集計して最適な値を決定して識別テーブル１３に登録しておく。
【００８４】
以上によって、ボールペン１４をホルダ２２に固定した採点ペン２１によって紙の回答用紙上に○あるいはｖを書くことで、自動的に○あるいはｖを自動検出し、既述した採点エントリ画面上の該当設問／小問の位置に○あるいはｖを正確に自動入力し、○の配点合計して採点することが可能となる。
【００８５】
図１４は、本発明の動作説明フローチャート（終了確認）を示す。
図１４にいて、Ｓ７１は、各塾の教室単位の受験者数を入力する（男女別で入力する）。
【００８６】
Ｓ７２は、全塾、全教室の未採点／採点中があるか判別する。ＹＥＳの場合には、Ｓ７３で催促の通知を行い、Ｓ７２に戻り繰り返す。一方、ＮＯの場合には、終了する。
【００８７】
以上によって、図１の本部システム５は自動的に全塾、全教室の未採点／採点中があるか判別し、ある場合には自動的に催促の電子メールなどを送付して所定の期限迄に採点結果の本部登録を促すことが可能となる。
【００８８】
図１５は、本発明の説明図（終了確認）を示す。
図１５において、採点状況として、図示の下記の項目を画面上に表示して確認することができる。
【００８９】
・状態      ：採点済／採点中／採点未
・塾名      ：
・教室名    ：
・電話番号  ：
・責任者名  ：
・受験者人数：男子／女子別／合計
・採点済件数：男子／女子別／合計
・その他    ：
この画面は、ＷＷＷサーバ（本部システム５）にアクセスして表示し、現在の状況を迅速に知ることが可能となると共に、採点終了を確認することが可能となる。
【００９０】
図１６は、本発明の具体例構成図を示す。これは、図１の教室端末１をブラウザ１とし、本部システム５をＷＷＷサーバ５とした場合の具体例構成図である。
【００９１】
図１６において、ブラウザ１は、採点画面用ＨＴＭＬを機能させて各種処理を行うものであって、例えばエクスプローラＩＥ３．０２（商品名）などである。このブラウザ１は、インターネット網を介してＷＷＷサーバ５に接続し、採点時に最新の採点エントリ入出力プログラム８および採点ペン検出プログラム９が自身のキャッシュメモリ１２上で同一のバーションでないときはＷＷＷサーバ５に接続したときに最新のものをダウンロードして格納し、最新のものがあるときはダウンロードしない。従って、採点開始時に、採点者がブラウザ１を起動してインターネット網を経由しＷＷＷサーバ５に接続すると、自動的にＷＷＷサーバ５が保持する採点エントリ入出力プログラム８および採点ペン検出プログラム９のバージョンと同一の採点プログラムがキャッシュメモリ１２に格納されるように制御されることとなる。
【００９２】
ＷＷＷサーバ５は、各処理用ＨＴＭＬを機能させて各種処理を行うものである。ここでは、採点エントリ入出力プログラム８および採点ペン検出プログラム９として最新のものである。
【００９３】
次に、動作を説明する。
○１（○の中に数字１を入れた記号を表す、以下同様）は、採点者がブラウザ１を起動してインターネット網を介してＷＷＷサーバ５に接続し、メニュー画面上で採点エントリ画面を選択すると、採点画面用ＨＴＭＬがダウンロードされる。
【００９４】
○２は、○１で採点画面用ＨＴＭＬをブラウザ１が読み込みんで、採点エントリ入出力プログラム８がブラウザ１側に既にキャッシュメモリ１２上にダウンロード済かつＷＷＷサーバ５側のバージョンと同一のときはダウンロードしなく、それ以外のときはＷＷＷサーバ５からダウンロードしてキャッシュメモリ１２上に格納する。これにより、採点開始時に常に、ＷＷＷサーバ５のバージョンと同一のプログラムがキャッシュメモリ１２上に格納されることとなる。
【００９５】
○３は、ブラウザ１が採点エントリ入出力プログラム８および採点ペン検出プログラム９を読み込んで起動し、既述した採点を開始する。
【００９６】
以上により、採点時にブラウザ１は、インターネット網を経由してＷＷＷサーバ５に接続すると、自動的に常に統一されたバージョンの採点プログラム（採点エントリ入出力プログラム８および採点ペン検出プログラム））となり、全塾の採点者で同一の採点を行うことが可能となり、保守、管理が極めて簡単となる。
【産業上の利用可能性】
【００９７】
本発明は、ＷＷＷサーバ５と接続されたブラウザ１上で自動的に採点プログラムをダウンロードし、常に統一したバージョンの採点プログラムのもとで採点ペンを使って自動的に採点結果を入力し、従来のＬＡＮ接続なしに簡易、迅速かつ統一した採点を実現することが可能となる。
【図面の簡単な説明】
【００９８】
【図１】本発明のシステム構成図である。
【図２】本発明の動作説明フローチャート（全体）である。
【図３】本発明の動作説明フローチャート（メニュー画面）である。
【図４】本発明の動作説明フローチャート（登録）である。
【図５】本発明の画面例（事前登録）である。
【図６】本発明の会員マスタ例である。
【図７】本発明の動作説明フローチャート（採点エントリの登録）である。
【図８】本発明の説明図（採点セットアップ）である。
【図９】本発明の説明図（答案用紙）である。
【図１０】本発明の動作説明フローチャート（採点）である。
【図１１】本発明の説明図（採点エントリ、横）である。
【図１２】本発明の説明図（採点エントリ、縦）である。
【図１３】本発明の説明図（採点検出）である。
【図１４】本発明の動作説明フローチャート（終了確認）である。
【図１５】本発明の説明図（終了確認）である。
【図１６】本発明の具体例構成図である。
【符号の説明】
【００９９】
１：教室端末（ブラウザ）
２：登録手段
３：採点手段
４：網（インターネット網）
５：本部システム（ＷＷＷサーバ）
６：登録更新手段
７：サービス提供手段
８：採点エントリ入出力プログラム
９：採点ペン検出プログラム
１０：確認手段
１１：マスタ
１２：キャシュメモリ
２１：採点ペン
２２：ホルダ
２３：止め具
２４：ボールペン
２５：マイク
２６：識別テーブル
【図１】
2005025783.tif 000003
【図２】
2005025783.tif 000004
【図３】
2005025783.tif 000005
【図４】
2005025783.tif 000006
【図５】
2005025783.tif 000007
【図６】
2005025783.tif 000008
【図７】
2005025783.tif 000009
【図８】
2005025783.tif 000010
【図９】
2005025783.tif 000011
【図１０】
2005025783.tif 000012
【図１１】
2005025783.tif 000013
【図１２】
2005025783.tif 000014
【図１３】
2005025783.tif 000015
【図１４】
2005025783.tif 000016
【図１５】
2005025783.tif 000017
【図１６】
2005025783.tif 000018